(57)【要約】    【構成】  照明装置１０は、ホルダ１８、光源１２、導光板１４及び拡散シート１６により構成される。このうち、１個の光源１２は、ホルダ１８内の１８ｂに近接して、取り付けられている。さらに光源挟持拡散シート１６ｂ、１６ｃ及び光源側１６ｄが、光源１２の周りにそれぞれ取り付けられる。この拡散シート１６ｂ及び１６ｃによって、光源１２から発せられる光４２は３次元的に拡散し、導光板１４に対して光を増量できる。また、射出拡散シート１６ｄは、光４２を拡散させる。これによって、光４２は、直接又は面１４ａで反射して、拡散シート１６ａに近接している面１４ｂに効率よく導かれる。面１４ｂに導かれた光４２は、拡散シート１６ａの全面で拡散する。これによって、液晶基板２０を明るく照明することができる。  【効果】  消費電力を削減することができ、かつ小型軽量化をすることができる。  【選択図】  図１
2006253050.tif 000002
【特許請求の範囲】
【請求項１】
光源から発せられる光を所定の面に導く導光板と導光板から受ける光を拡散させる拡散シートを備える照明装置において、
前記導光板の長手方向の一端の面に近接して取り付けられる一の拡散シートと、
前記一の拡散シートに近接して取り付けられる一の光源と、
前記導光板の上から取り付けられた他の拡散シートとを備えることを特徴とする照明装置。
【請求項２】
前記拡散シートは、前記一の光源１２を挟みこみ前記一の拡散シートに対して垂直方向に近接してそれぞれ取り付けられる２つのその他の拡散シートをさらに備えることを特徴とする、請求項１記載の照明装置。
【請求項３】
前記導光板は、視認側の一の面が面一を形成し、視認側と反対の面が長尺状の長手方向の一端が他端より薄くなっており、長手方向の他端の面に前記光源が近接することを特徴とする、請求項１または２記載の照明装置。
【請求項４】
液晶基板と照明装置を備える表示装置において、
導光板の長手方向の一端の面に近接して取り付けられる一の拡散シートと、
前記一の拡散シートに近接して取り付けられる一の光源と、
前記一の光源１２を挟みこみ前記一の拡散シートに対して垂直方向に近接してそれぞれ取り付けられる２つの他の拡散シートと、
前記導光板の上から取り付けられたその他の拡散シートとを備えることを特徴とする表示装置。
【請求項５】
前記導光板は、視認側の一の面が面一を形成し、視認側と反対の面が長尺状の長手方向の一端が他端より薄くなっており、長手方向の他端の面に前記光源が近接することを特徴とする、請求項４記載の表示装置。
【発明の詳細な説明】
【技術分野】
【０００１】
この発明は、拡散シートを具備する照明装置又はその照明装置を備える表示装置に関し、特にたとえば、オーディオ装置のバックライトに利用される照明装置又はその照明装置を備える表示装置に関する。
【背景技術】
【０００２】
オーディオ装置の表示装置は、たとえば、音楽の再生時間等を表示する液晶基板４０とその液晶基板４０を照明する照明装置３０を備えている。従来の照明装置３０は、液晶基板４０の全体をむらなく均一に明るくするために、図６及び図７に示すように、液晶基板４０に近接して設けられている。照明装置３０は、ホルダ３８、光源３２、導光板３４及び拡散シート３６により構成されている。
【０００３】
ホルダ３８は、内部に空間が形成された矩形状であり、その１面が開放されており、内部の底面３８ａが露出している。光源３２は、ＬＥＤ（発行ダイオード）又はランプからなる。
【０００４】
一の光源３２は、ホルダ３８の空間内の長手方向一端に近接して取り付けられ、他の光源３２は、長手方向他端に取り付けられている。導光板３４は、ホルダ３８内に嵌まり込む形で取り付けられている。この導光板３４は、透明なアクリル板等から形成され、空気と材質の屈折率差による全反射を利用して、光源３２から発せられる光を拡散シート３６に近接している面へ導く。
【０００５】
導光板３４がホルダ３８の空間内に配置された後に、さらに拡散シート３６が取り付けられる。拡散シート３６は、白色非透明の薄いプラスチックフィルムが用いられ、光源３２から導光板３４を介して発せられる光を当該拡散シート３６の全面で拡散させる。このようにして、照明装置３０は、液晶基板４０の背後から全体を明るく照明できる。
【０００６】
また、特開２００２−２８６９３９号記載の発明によると、導光板の長手方向の中央部が該長手方向の両端側よりも狭ピッチに形成されているので、導光板の長手方向中央部において光の反射量を増大させることができる。
【特許文献１】特開２００２−２８６９３９号公報
【発明の開示】
【発明が解決しようとする課題】
【０００７】
しかし、従来技術では、液晶基板４０の全体を照明するためには光源３２をホルダ３８内の長手方向両端に２個設ける必要がある。これによって、消費電力が大きくなるうえに、材料費がかかる。また、図５（ａ）を参照して、光源３２から放射状に発せられる光４２の中には光４２ａのように導光板３４に進行しない光もあり、効率よく導光板３４に光が進行していない。このため、光源３２を１個にすると光量が少なくなり、導光板３４の中央部は暗くなる。
【０００８】
それゆえに、この発明の主たる目的は、光源を１個で十分な光量が得られ、かつ消費電力を削減することができる、拡散シートを具備する照明装置を提供することである。
【課題を解決するための手段】
【０００９】
請求項１の発明に従う照明装置は、光源から発せられる光を均一な面光源にする導光板と導光板から受ける光を拡散させる拡散シートを備える照明装置において、導光板の長手方向の一端の面に近接して取り付けられる一の拡散シートと、一の拡散シートに近接して取り付けられる一の光源と、導光板の上から取り付けられた他の拡散シートとを備えることを特徴とする。
【００１０】
光源から発せられる光を均一な面光源にする導光板と導光板から受ける光を拡散させる拡散シートを備える照明装置において、一の拡散シートは、導光板の長手方向の一端の面に近接して取り付けられる。一の光源は、一の拡散シートに近接して取り付けられる。他の拡散シートは、導光板の上から取り付けられる。したがって、照明装置の光源を１個に減らすことができる。
【００１１】
請求項２の発明に従う照明装置は、請求項１に従属し、拡散シートは、一の光源１２を挟みこみ前記一の拡散シートに対して垂直方向に近接してそれぞれ取り付けられる２つのその他の拡散シートをさらに備えることを特徴とする。これによって、導光板に導出される光源からの光を増量できる。
【００１２】
請求項３の発明に従う照明装置は、請求項１または２に従属し、導光板は、視認側の一の面（光の射出面）が面一を形成し、視認側と反対の面が矩形の長手方向の一端が他端より薄くなっており、長手方向の他端の面に光源が近接することを特徴とする。これによって、導光板は、１個の光源から発せられた光を、拡散シートが近接する光の射出面に導くことができる。
【００１３】
請求項４の発明に従う表示装置は、液晶基板と照明装置を備える表示装置において、導光板の長手方向の一端の面に近接して取り付けられる一の拡散シートと、前記一の拡散シートに近接して取り付けられる一の光源と、一の光源１２を挟みこみ前記一の拡散シートに対して垂直方向に近接してそれぞれ取り付けられる２つの他の拡散シートと、導光板の上から取り付けられたその他の拡散シートとを備えることを特徴とする。
【００１４】
請求項５の発明に従う表示装置は、請求項４に従属し、導光板は、視認側の一の面が面一を形成し、視認側と反対の面（背面）が矩形状の長手方向の一端が他端より薄くなっており、長手方向の他端の面（光導入面）に光源が近接することを特徴とする。
【発明の効果】
【００１５】
この発明によれば、照明装置の光源を１個に減らすことができる。したがって、消費電力を削減することができ、かつ照明装置の小型軽量化及び材料費の削減をすることができる。
【００１６】
この発明の上述の目的，その他の目的，特徴および利点は、図面を参照して行う以下の実施例の詳細な説明から一層明らかとなろう。
【発明を実施するための最良の形態】
【００１７】
この実施例の照明装置１０は、オーディオ装置等の表示部に用いられる液晶基板２０の全体をむらなく均一に明るくするために、液晶基板２０背面に近接して設けられている。この照明装置１０について、図１ないし５に基づいて説明する。図１は照明装置１０の完成図であり、図２は拡散シート１６を取り外した照明装置１０であり、図３は照明装置１０の展開図であり、図４は導光板１４と光源１２の側面図であり、図５は光源１２から発せられる光の進行方向の図解図である。
【００１８】
まず図３を参照して、照明装置１０は、ホルダ１８、光源１２、導光板１４及び拡散シート１６により構成されている。ホルダ１８は、一面が開放されて、底面１８ａが露出した矩形状である。この空間に光源１２及び導光板１４が保持されている。また、後述する導光板１４の形状に合うように、底面１８ａの長手方向一端（図中左側）は浅くなっており、他端１８ｂ（光源保持部、図中右側）は深くなっている。このうち、１個の光源１２は、ホルダ１８内の他端１８ｂに近接して、取り付けられている。
【００１９】
図３及び図４を参照して、導光板１４は、矩形の形をしており、液晶基板２０側の面１４ｂは、液晶基板２０と平行な射出面を形成している。射出面１４ｂとは反対側の面１４ａ（背面）は長手方向に曲面（背面側に凸となる）を形成し、長手方向の一端１４ｄは他端１４ｃ（光源側端部）より薄くなっている。この導光板１４は、光源側端部１４ｃがホルダ１８内の光源保持部１８ｂの位置に、背面１４ａがホルダ１８内の底面１８ａに近接して取り付けられている。つまり、導光板１４の光源側端部１４ｃは、ホルダ１８に保持されている光源１２側に配置される。
【００２０】
光源拡散シート１６ｄは、導光板１４の光源側端部１４ｃと光源１２の間に近接して取り付けられる。図３及び図５を参照して、さらに光源挟持拡散シート１６ｂ及び１６ｃは、光源１２を挟みこみ、光源拡散シート１６ｄに対して垂直方向に近接してそれぞれ取り付けられる。最後に、射出側拡散シート１６ａは、導光板の射出面１４ｂに近接して取り付けられる。
【００２１】
次に光源１２から発せられる光が液晶基板２０を照明する原理について説明する。図５を参照して、光源１２から発せられる光４２の中で本来導光板１４方向に進行しない光４２ａ等は（図５（ａ））、光源挟持拡散シート１６ｂ及び１６ｃによって拡散し、拡散した光の中で光４２ｂ等は導光板１４方向に進行する（図５（ｂ））。このように、光源１２を光源挟持拡散シート１６ｂ及び１６ｃで挟み込むことによって、導光板１４方向に進行する光４２を増量することができる。
【００２２】
また、図５（ｂ）及び図４を参照して、導光板１４方向に進行する光４２は、光源拡散シート１６ｄで拡散し、導光板１４に対して多方向に進行する。多方向に進行した光４２の一部は、液晶基板２０に近接している導光板の射出面１４ｂに向かって進む。一方、多方向に進行した光４２のうち導光板の背面１４ａ方向に進行する光は、背面１４ａが曲面を形成し光源側端部１４ｃから離れる端部１４ｄが狭くなっているため、背面１４ａで反射し、射出面１４ｂに向かって進む。このように、光源拡散シート１４ｄで拡散された光４２は、直接又は背面１４ａで反射して、液晶基板２０側の射出面１４ｂに向かって進む。したがって、光源１２から発せられる光４２は、効率よく液晶基板２０側の射出面１４ｂに導かれる。
【００２３】
導光板１４の射出面１４ｂに導かれた光４２は、射出側拡散シート１６ａの全面で拡散し、均一でむらがない面光源を形成する。これによって、射出側拡散シート１６ａに近接する液晶基板２０を明るく照明することができる。
【００２４】
以上の説明から分かるように、照明装置１０は、一端が開放した矩形をなすホルダ１８を具備していて、このホルダ１８に光源１２、導光板１４及び拡散シート１６を取り付けることにより構成される。このうち、１個の光源１２は、ホルダ１８の長手方向の一端に位置する光源保持部１８ｂに取り付けられている。さらに光源挟持拡散シート１６ｂ、１６ｃ及び光源拡散シート１６ｄが、光源１２の周りにそれぞれ取り付けられる。この光源挟持拡散シート１６ｂ及び１６ｃによって、光源１２から発せられる光４２は３次元的に拡散し、導光板１４に対して入射する光を増量できる。また、光源拡散シート１６ｄは、光源１２から発せられる光４２を拡散させる。これによって、光４２は、直接又は背面１４ａで反射して、射出側拡散シート１６ａに近接している射出面１４ｂに効率よく導かれる。射出面１４ｂに導かれた光４２は、射出拡散シート１６ａの全面で拡散し、均一な面光源を形成する。これによって、射出拡散シート１６ａに近接する液晶基板２０を明るく照明することができる。
【００２５】
このため、消費電力を削減することができ、かつ照明装置の小型軽量化及び材料費の削減をすることができる。
【図面の簡単な説明】
【００２６】
【図１】この発明の照明装置１０の完成品の一例を示す図解図である。
【図２】この発明の拡散シート１６を取り外した照明装置１０の一例を示す図解図である。
【図３】この発明の照明装置１０を展開した一例を示す図解図である。
【図４】導光板１４と光源１２の側面図である。
【図５】光源１２から発せられる光４２の進行方向の図解図である。
【図６】従来の照明装置３０の完成品の一例を示す図解図である。
【図７】従来の照明装置を展開した一例を示す図解図である。
【符号の説明】
【００２７】
１０  …  照明装置
１２  …  光源
１４  …  導光板
１６  …  拡散シート
１８  …  ホルダ
２０  …  液晶基板
【図１】
2006253050.tif 000003
【図２】
2006253050.tif 000004
【図３】
2006253050.tif 000005
【図４】
2006253050.tif 000006
【図５】
2006253050.tif 000007
【図６】
2006253050.tif 000008
【図７】
2006253050.tif 000009